(57)【要約】      （修正有）【課題】装着中のネクタイが斜めに傾くことなく、また装着中に傾いたりずれたりすることがなく、しかもネクタイを傷めないネクタイピンを提供する。【解決手段】装飾板１と、押板４と、装飾板１に対して押板４を一定範囲で回動可能に軸支する軸体７と、装飾板１と押板４の間に介在されるねじりばね部材３とを備えたネクタイピンにおいて、押板４は、内面に合成樹脂製の挟持片８を備え、挟持片８は、軸体７に近接する基端側に隆起部９を備え、他端側の内面に平滑面９Ａを備える。【選択図】図２
0003201865.tif 000002
【実用新案登録請求の範囲】
【請求項１】
装飾板と、押板と、前記装飾板に対して前記押板を一定範囲で回動可能に軸支する軸体と、該装飾板と押板の間に介在されるばね部材とを備えたネクタイピンにおいて、
前記押板は、内面に合成樹脂製の挟持片を備え、
前記挟持片は、前記軸体に近接する基端側に隆起部を備え、他端側の内面に平滑面を備えたことを特徴とするネクタイピン。
【請求項２】
前記押板の内面と前記挟持片との間に少なくとも一箇所の開口を有する間隙部を備えたことを特徴とする請求項１記載のネクタイピン。
【請求項３】
前記隆起部の頂部に、幅方向へ連続する畝状突起を備えたことを特徴とする請求項１又は２記載のネクタイピン。
【請求項４】
挟持片の先端内側から隆起部の前方側へ向けた仮想接線に対して、隆起部の前方側から先端部に至る輪郭が外方側に配置されることを特徴とする請求項１、２又は３記載のネクタイピン。
【考案の詳細な説明】
【技術分野】
【０００１】
本考案はネクタイピンに関する。更に詳しくはネクタイとワイシャツを合わせて挟着した後の当該ネクタイピンのずれを抑制するネクタイピンに関する。
【背景技術】
【０００２】
一般に、ネクタイとワイシャツを挟着する際に、当該ネクタイピンの飾り板が水平となるように体裁よく配置させる。ところが、着用者の活動や姿勢により斜めに傾くことが多く、場合によってはネクタイピンが離脱する場合もあり、そのためネクタイを常時定位置に保持できないことがある。
【０００３】
ここで、ネクタイピンとして使用可能な携帯品保全ピンとして、金属資材で縦長形Ｕ型枠体を形成し、これが枠体をへ型状に屈曲変形を施し、これをａ、ｂ両画体となし、ａ分画体の水平底板上には尖突体からなる針体を植立固定しこの針体の先端は、これと対応する上位のばね鋼板の水平体板面の孔に臨ませ、該鋼板の水平体面に続く鋼板は、これを斜め下方に向かって傾斜しこの下端体板を、ｂ分画体の底板上に定着し、枠板の両側板の植立耳部間に軸体を横架し、この軸体にはコイルバネを外嵌し、バネの端末部を軸体に係着する抑止板の斜出脚内側壁に係止し、また、コイルバネの縦長始端部は、これを底板のｂ分画体の端部を上方に対して弧状に湾曲して形成されたｃ分画体の弧縁上に定着し、前述の斜出脚を備えた縦長体の抑止板はバネ鋼板の水平体板面に対向させ、バネ鋼板の予設孔と対応する抑止板の内側壁に円錐形の溝を設けたものが公知である（例えば、特許文献１参照。）。
【０００４】
また、ネクタイピンのずれを抑制する観点からされたものとして、例えば、ネクタイピン本体と、前記本体の一端部に一体に結合され、一対の孔が形成された腕部を有する支持片と、前記本体の裏面に重ね合わせて配置され、全体として板状で、一端部で前記支持片に係止され、他端部近傍で前記本体の裏面に当接する挟持部材と、前記挟持部材の本体と反対側に配置され、前記支持片の前記一対の孔に回動可能に結合され、前記挟持部材を押圧するための凸部を有する留め部材とを備え、前記留め部材を開いた状態で装着し、前記留め部材を閉じた状態で使用するようになったことを特徴とするネクタイピンが公知である（例えば、特許文献２参照。）。
【先行技術文献】
【特許文献】
【０００５】
【特許文献１】実公昭４６−６５８１号公報
【特許文献２】特開２００６−２６３０６６号公報
【考案の概要】
【考案が解決しようとする課題】
【０００６】
上記の特許文献１の考案は、縦長形Ｕ字状の水平底板上に針体を植設固定し、バネ鋼板に設けた孔を挿通して、針体が抑止版の内側壁に設けた円錐形の溝に停止することにより、被服に係合止するものである。
このピンは針体により被服の生地に挿通する構造であり、ネクタイピンの脱落は防止出来る。しかし、Ｕ字状の端部にあって一点で被服に係合止するものであるからネクタイピンが斜めになる欠点を解消できるものではなかった。
【０００７】
上記の特許文献２の図６に開示されるネクタイピンは、装着時に前面にくるネクタイピン本体１の後端部から支持片２が後向きに延び、支持片２の端部に軸４を設け、ギザギザの鰐口状の滑止部３ａを有する挟持部材３を軸４に回動可能に接続し、軸４に設けコイルバネ５により、挟持部材３を本体１側に押圧するものである。
また、ネクタイを挟持する際には、本体１の後端部と挟持部材３の後端部３ｂを指で押すことにより、軸４を支点として挟持部材３を回動させて挟持部材３の先端部を開き、止めようとするネクタイの前側に本体１が位置し、ワイシャツの後側に挟持部材３が位置するようにして、ネクタイピンを一方の側から差し込み、本体１の後端部と挟持部材３の後端部３ｂから指を離して、挟持部材３を閉じ、本体１と挟持部材３の滑止部３ａとの間にネクタイとワイシャツを強く挟持するものである。
【０００８】
しかし、ネクタイとワイシャツを挟持する位置が、挟持部材３の先端の滑止部３ａの位置の一点のみである点は、上記特許文献１と同様であり、ネクタイピンの重量バランスや挟持する挟持される生地の性質（例えば生地の滑り易さ等）から、当該ネクタイピンの位置が上下にずれたり、傾いたりする欠点は依然として解消するには至っていない。
【０００９】
更に、当該特許文献２のネクタイピンは、押圧力によりネクタイとワイシャツを挟力に挟持するため、前記ネクタイやワイシャツの生地を傷めやすい点でも問題であった。
【００１０】
また、従来、装飾側の本体と挟持部材でネクタイを挟持するネクタイピンにおいて、挟持部材の先端に内側向きの突出部を形成してネクタイのずれを防止する構成のものも存在していたが、このようなネクタイピンを使用した場合には、突出部にネクタイが引掛り、ネクタイの繊維が解れたり、糸引きを生じたりする等、ネクタイを著しく傷めることもあった。
【００１１】
本考案は以上の事情に鑑みてなされたものであり、ネクタイとワイシャツを挟持した状態で、ネクタイピンの位置が上下にずれたり傾いたりすることが大幅に低減でき、且つ、挟持されるネクタイやワイシャツの生地を傷めにくい、優れたネクタイピンの提供を、考案が解決しようとする課題とする。
【００１２】
尚、ネクタイピンはその外観品質、安全性が良好であることが望まれる。このため、上記解決しようとする課題を前提として、併せて、外観品質、安全性、操作性が良好であれば尚良いと考えられる。
【課題を解決するための手段】
【００１３】
本考案は、装飾板と、押板と、前記装飾板に対して前記押板を一定範囲で回動可能に軸支する軸体と、該装飾板と押板の間に介在されるばね部材とを備えたネクタイピンにおいて、前記押板は、内面に合成樹脂製の挟持片を備え、前記挟持片は、前記軸体に近接する基端側に隆起部を備え、他端側の内面に平滑面を備えたことを特徴とするネクタイピンを、上記課題を解決するための手段とする。
【００１４】
本考案は、上記考案の構成を前提として、前記押板の内面と前記挟持片との間に少なくとも一箇所の開口を有する間隙部を備えたことを特徴とするネクタイピンを、上記課題を解決するための手段とする。
【００１５】
本考案は、上記いずれかの考案の構成を前提として、前記隆起部の頂部に、幅方向へ連続する畝状突起を備えたことを特徴とするネクタイピンを、上記課題を解決するための手段とする。
【００１６】
本考案は、上記何れかの考案の構成を前提として、挟持片の先端内側から隆起部の前方側へ向けた仮想接線に対して、隆起部の前方側から先端部に至る輪郭が外方側に配置されることを特徴とするネクタイピンを、上記課題を解決するための手段とする。
【考案の効果】
【００１７】
本考案によれば、装飾板と、押板と、前記装飾板に対して前記押板を一定範囲で回動可能に軸支する軸体と、該装飾板と押板の間に介在されるばね部材とを備えたネクタイピンにおいて、前記押板は、内面に合成樹脂製の挟持片を備え、前記挟持片は、前記軸体に近接する基端側に隆起部を備え、他端側の内面に平滑面を備えた構成としたことから、当該挟持片の平滑面と装飾板の先端側内面による挟持位置、隆起部と前記装飾板の基端側の内面による挟持位置によって二点でネクタイ及びワイシャツを挟持できるため、当該ネクタイピンを装着した状態で、当該ネクタイピンの位置が上下にずれたり、傾いたりすることを大幅に低減できる。
【００１８】
また、上記二点での挟持構造と、挟持片が合成樹脂によって形成されたことによって、ネクタイやワイシャツ等の生地に対する負荷が分散され、且つ、合成樹脂による柔軟性によって生地表面に対して擦過傷を生じ難いものとするから、従来のような生地の引掛りによる解れや糸引きを招来することがなく、生地を傷めにくいネクタイピンとすることができる。
【００１９】
また本考案は、上記考案の構成に加えて、前記押板の内面と前記挟持片との間に少なくとも一箇所の開口を有する間隙部を備えたものとした場合には、上記考案の作用効果を奏する上に、メッキ処理を施した場合に、処理液を間隙部から排出することができ、外観品質と安全性を確保できる。
【００２０】
また本考案は、上記何れかの考案の構成に加えて、前記隆起部の頂部に、幅方向へ連続する畝状突起を備えたことから、上記いずれかの考案の作用効果を奏する上に、ネクタイ及びワイシャツの生地に挟持片の畝状突起が柔軟に押支するので、ネクタイの傷付きを抑止しつつ、確実にネクタイピンを固定できる。
【００２１】
また本考案は、上記何れかの考案の構成に加えて、挟持片の先端内側から隆起部の前方側へ向けた仮想接線に対して、隆起部の前方側から先端部に至る輪郭が外方側に配置される構成としたことから、上記いずれかの考案の作用効果を奏する上に、ネクタイ及びワイシャツの生地を当該ネクタイピンに差し込む際に、当該挟持片が邪魔とならず、ネクタイピンの装着時の操作性を良好とすることができる。
【図面の簡単な説明】
【００２２】
【図１】本考案の実施例１に係るネクタイピンを示す正面図である。
【図２】本考案の実施例１に係るネクタイピンの縦断面図である。
【図３】本考案の実施例１に係るネクタイピンの右側面図である。
【図４】本考案の実施例１に係るネクタイピンにおける挟持片の正面図である。
【図５】本考案の実施例１に係るネクタイピンにおける挟持片の底面図である。
【図６】本考案の実施例１に係るネクタイピンにおける押板の平面図である。
【図７】図６のＡ−Ａ線における断面図である。
【図８】本考案の実施例１に係るネクタイピンにおける押板に挟持片を取り付けた状態の平面図である。
【図９】本考案の実施例１に係るネクタイピンにおける押板に挟持片を取り付けた状態の正面図である。
【図１０】図８のＢ−Ｂ線における断面図である。
【図１１】図８のＣ−Ｃ線における断面図である。
【図１２】図８のＤ−Ｄ線における断面図である。
【図１３】本考案の実施例２に係るネクタイピンを示す正面図である。
【図１４】本考案の実施例２に係るネクタイピンを示す縦断面図である。
【図１５】本考案の実施例２に係るネクタイピンにおける押板に挟持片を取り付けた状態の平面図である。
【図１６】本考案の実施例２に係るネクタイピンにおける押板に挟持片を取り付けた状態の正面図である。
【図１７】本考案の他の実施例における押板と挟持片の関係を断面図である。
【考案を実施するための形態】
【００２３】
本考案は、装飾板と、押板と、前記装飾板に対して前記押板を一定範囲で回動可能に軸支する軸体と、該装飾板と押板の間に介在されるばね部材とを備えたネクタイピンにおいて、前記押板の内面には、合成樹脂製の挟持片を備え、前記挟持片は、前記軸体に近接する基端側に隆起部を備え、他端側の内面に平滑面を備えた構成としたことから、当該挟持片の平滑面と装飾板の先端側内面による挟持位置、隆起部と前記装飾板の基端側の内面による挟持位置によって二点でネクタイ及びワイシャツを挟持できるため、当該ネクタイピンを装着した状態で、当該ネクタイピンの位置が上下にずれたり、傾いたりすることを大幅に低減でき、上記二点での挟持構造と、挟持片が合成樹脂によって形成されたことによって、ネクタイやワイシャツ等の生地に対する負荷が分散され、且つ、合成樹脂による柔軟性を有していることによって生地表面に対して擦過傷を生じ難く、生地を傷めにくいものとし、前記押板の内面と前記挟持片との間に少なくとも一箇所の開口を有する間隙部を備えたことで、メッキ処理を施した場合に、処理液を間隙部から排出して外観品質と安全性を確保でき、前記隆起部の頂部に幅方向へ連続する畝状突起を備えた場合には、ネクタイ及びワイシャツの生地に挟持片の畝状突起が柔軟に押支させ、ネクタイの傷付きを抑止しつつ、確実にネクタイピンを固定できる優れたネクタイピンを実現した。
【００２４】
以下に、本考案の各実施例について説明する。尚、本考案は以下に示す各実施例の構成に限るものではなく、本考案の技術的思想を逸脱しない範囲において、種々の変形例、設計変更等を含む。
【実施例１】
【００２５】
本考案の実施例１に係るネクタイピンは、図１から図３に示すように、装飾板１と、押板４と、挟持片８と、前記装飾板１に対して前記押板４を一定範囲で回動可能に軸支する軸体７と、該装飾板１と押板４の間に介在されるねじりばね部材３とによって構成される。
【００２６】
前記装飾板１は、同図１から図３に示すように、外面側に装飾面を有し、内面の基端側を二箇所で屈曲した接続端部２を有する金属製部材である。当該接続端部２は、左右に二股として対向する軸受腕部を備える。当該左右の軸受腕部には、相互に対向する第一軸穴２０を有する。
【００２７】
前記押板４は、図６及び図７に示すように、押板基板４０と、該押板基板４０のうち基端側を除き、その左右両端を内側へ向けて屈曲して左右の側壁５を立上げた構成を有する。前記側壁５の高さは、押板基板４０の先端側から基端側へ向けて徐々に高く形成してある。当該左側壁５と右側壁５の各基端側には、対向する第二軸穴５０を備えている。
また、押板基板４０の基端側の外面は操作の際に指を掛けるための指掛部４Ａとなる。
また、左右の側壁５の上面のうち各先端側及び中央寄りとなる位置には、爪片６を形成してある。
【００２８】
挟持片８は、図４及び図５に示すように、ポリカーボネート製の弾性を有する部材であり、先端側内面を平滑面９Ａとし、前記平滑面９Ａから連続して、基端側に山状の隆起部９を設けている。隆起部９のうち前方（先端）側は滑らかに上方に向けて斜面とした形状とし、後方（基端）側は急激に下方に向けて湾曲傾斜した形状としてある。また、該隆起部９の左右側面には凹部１３を有する。ここで、図４に示すように、当該挟持片８の先端内側（同図において上方側）から隆起部９の前方側へ向けた仮想接線Ｌに対して、隆起部９の前方側から先端部に至る輪郭が外方（同図において下方）側に配置される構成としている。
【００２９】
また挟持片８の先端側外面は、下方へ突出した閉栓部１４を備えている。
当該挟持片８の側面には、押板４側となる挟持片８下部の幅ｗ１が装飾板１側となる挟持片８上部の幅ｗ２よりも小さくなる段差部１６を長手方向に亘って設けてある。
前記押板４の爪片６に対応する当該挟持片８の側面位置には切欠部１１を設けている。
また、押板４側の幅ｗ１は、押板４の内幅と同一寸法に形成してある。また、装飾板１側の幅ｗ２は、押板４の外幅よりも僅かに小さい寸法に形成してある。
【００３０】
押板４と挟持片８は、図８から図１２に示すように、押板４の先端内面と挟持片８の閉栓部１４とが当接し、挟持片８下部が押板４の左右の側壁５間に嵌入し、段差部１６によって形成される段差部形成面１６Ａが、押板４の側壁５の上端面と当接する構成となる。この状態において、前記爪片６の折曲により前記切欠部１１と係止させることで、固着された構成となる。
当該構成によって、前記押板４と挟持片８との間には、開口１５を有する間隙１２が形成される。
【００３１】
図２に示すように、軸体７は、重合された第一軸穴２０及び第二軸穴５０と、左右の当該第二軸穴間５０に軸中心を配置したねじりばね部材３とを、連通して軸架される。
前記ねじりばね部材３の一端は押板４の基端内面に当接し、当該ねじりばね部材３の他端は装飾板１の前記取付端部に当接する。
【００３２】
本実施例１に係るネクタイピンは主としてその外観品質を向上させるべく、表面にメッキ層を備えている。
当該表面のメッキ層は、上記各部材によってネクタイピンが組み立てられた構成において、バフ研磨処理、脱脂加工の後、処理液への浸漬及び電解処理によってメッキ加工を行い、形成する。
【００３３】
当該実施例１に係るネクタイピンのねじりばね部材３による取付端部と押板４の基端内面とを離間させる付勢力によって、装飾体の先端と押板４の先端が閉じた状態に保持され、第一挟持部Ｐを構成する。また、装飾体と前記隆起部９とが近接若しくは当接された状態に保持され、第二挟持部Ｑを構成する。
【００３４】
上記構成によって、装飾体の基端外面と押板４の基端外面とを指で摘み、前記ねじりばね部材３による弾性力に抗して当該装飾体の基端と押板４の基端を相互に近接させることによって、装飾体の先端と押板４の先端との間から、ネクタイ及びワイシャツの生地を差し込んで、挟み込む。
【００３５】
上記したように、隆起部９のうち先端側は滑らかに上方に向けて傾斜した形状としてあるため、生地の差し込み時には、挟持片８は生地の進入を殆ど阻害することなく当該生地を奥側（基端側）へ案内する。
【００３６】
また、上記したように、隆起部９のうち基端側は急激に下方に向けて湾曲傾斜した形状としてあるため、一旦生地の一部が奥側まで入り込んだ状態では、当該生地の奥側への案内機能はなくなり、生地を保持するための十分な空間が確保されるため、生地を差し込んだ後、挟持するまでのタイミングで、不用意な生地の離脱を抑制する一定の生地の保持効果が期待できる。
【００３７】
そして、指を離すことで、前記ねじりばね部材３の弾性力によって、当該ネクタイピンの先端側が閉塞し、前記第一挟持部Ｐ及び第二挟持部Ｑの双方で、ネクタイ及びワイシャツの生地を挟持する。
【００３８】
本実施例１に係るネクタイピンは、上記したように、押板４と挟持片８との間に、開口１５を有する間隙１２を形成している。当該間隙１２自体を有することによって、原材料量の低減に伴うコストダウンを図れ、強度の確保、軽量化の利点がある。
【００３９】
そして、当該間隙１２が開口１５を有することによって、組み立てられたネクタイピンをメッキ加工による処理液へ浸漬しても、浸漬後に付着した処理液（廃液）を前記開口１５から簡単に除去できるため、処理液の確実な除去による安全性の確保ができる。
【００４０】
また、本実施例１においては、図２に示すように、開口１５は基端側に向けた一箇所のみとし、他端側を閉栓部１４によって閉塞し、左右両側面側を閉塞した構成としているため、基端側を下方として傾斜させるのみで処理液の除去を簡単に行えるため、外観品質の良好なネクタイピンを高い生産効率により提供できる。
【００４１】
更に、上記のメッキ加工を行ったネクタイピンは、メッキ加工によって形成された表面層が金属部分において一体的に形成されるため、構成部品間の微小ながたつきが抑制され、耐久性が向上する。
【００４２】
また、凹部１３の形成により、挟持片８の強度を確保した上で、原材料量の低減に伴うコストダウンを図れ、軽量化の利点が得られる。
【実施例２】
【００４３】
次に、本考案の実施例２は、図１３から図１６に示すように、上記実施例１の考案の構成と比べ、挟持片８の形状が異なるものである。実施例１と同様の構成部材についての説明は省略し、相違する構成部材について、以下に説明する。
【００４４】
実施例２に係るネクタイピンにおける挟持片８は、ポリカーボネート製の弾性を有する部材であり、先端側内面を平滑面９Ａとし、前記平滑面９Ａから連続して、基端側に山状の隆起部９を設けている。
そして、当該隆起部９の頂部には、本実施例２の特徴となる、幅方向に延設され弾性を有する畝状突起１０を、前後方向に複数列設した構成を有する。
【００４５】
尚、実施例２に係るネクタイピンにおける挟持片８の構成中、隆起部９のうち前方（先端）側は滑らかに上方に向けて傾斜した形状とし、後方（基端）側は急激に下方に向けて湾曲傾斜した形状である点、該隆起部９の左右側面には凹部１３を有する点、挟持片８の先端側外面は下方へ突出した閉栓部１４を備えている点、当該挟持片８の側面には、押板４側となる挟持片８の下部の幅ｗ１が装飾板１側となる挟持片８の上部の幅ｗ２よりも小さくなる段差部１６を長手方向に亘って設け、押板４の爪片６に対応する当該挟持片８の側面位置には切欠部１１を設ける点については、実施例１と共通する。
【００４６】
上記実施例２に係る挟持片８は、上記畝状突起１０を形成したことによって、挟持の際に、畝状突起１０の弾力性によって生地に対する当接がより柔軟に行われるので生地の傷みをより抑制でき、また、挟持した状態においては、挟持片８の生地に対して当接する表面積が増加するため、挟持の確実性を高めることができる。
【００４７】
また、畝状突起１０は幅方向に対して連続した形状としているため、挟持片８全体が幅方向に変形する力が作用した場合であっても、隆起の頂部の変形が抑制されてより生地に対して水平を保つので、生地に対する追従性が向上し、安定した挟持操作を実現できる。
【００４８】
尚、上記実施例１、２のいずれにおいて隆起部９の側面に凹部１３を設けた構成としているが、本考案においては上記実施例に限定するものではなく、例えば、前記凹部１３は設けないものとすることもできる。凹部１３を形成しないことによっては、挟持片８の左右方向の撓りを抑制することができる。
【００４９】
また、上記実施例１、２のいずれにおいても、段差部１６によって形成される段差部形成面１６Ａが、押板４の側壁５の上端面と当接する構成によって間隙１２及び開口１５を形成した構成としているが、本考案においては上記実施例に限定するものではなく、例えば、図１７に他の実施例における押板４と挟持片８との関係を断面で示すように、挟持片８の下面側に挟持片切欠部１７を形成し、当該挟持片８の下面のうち挟持片切欠部１７以外の一部と押板４の底面とを当接して、間隙１２及び開口１５を形成することもできる。この場合には、例えば実施例１に開示した装飾体において示した側壁５を必ずしも形成する必要はなく、装飾体の内面と挟持片８とを接続する手段を確保することもできる。
【００５０】
尚、上記実施例１、２のいずれにおいても、挟持片８の構成材料をポリカーボネート樹脂としているが、本考案においては当該構成に限定するものではなく、例えば、ウレタンゴム等、エラストマーである他の合成ゴム、合成樹脂等を使用することができる。
【００５１】
また、上記実施例１、２のいずれにおいても、ばね部材としてねじりばね部材３を用いたが、本考案においては当該構成に限定されるものではなく、例えば、金属製の板ばね等、公知の種々のばね部材を適用することができる。
【符号の説明】
【００５２】
１          装飾板
２          接続端部
３          ねじりばね部材
４          押板
４０        押板基板
４Ａ        指掛部
５          側壁
６          爪片
７          軸体
８          挟持片
９          隆起部
９Ａ        平滑面
１０        畝状突起
１１        切欠部
１２        間隙
１３        凹部
１４        閉栓部
１５        開口
１６        段差部
１６Ａ      段差部形成面
１７        挟持片切欠部
２０        第一軸穴
５０        第二軸穴
Ｌ          仮想接線
Ｐ          第一挟持部
Ｑ          第二挟持部
ｗ１        幅
ｗ２        幅
【図１】
0003201865.tif 000003
【図２】
0003201865.tif 000004
【図３】
0003201865.tif 000005
【図４】
0003201865.tif 000006
【図５】
0003201865.tif 000007
【図６】
0003201865.tif 000008
【図７】
0003201865.tif 000009
【図８】
0003201865.tif 000010
【図９】
0003201865.tif 000011
【図１０】
0003201865.tif 000012
【図１１】
0003201865.tif 000013
【図１２】
0003201865.tif 000014
【図１３】
0003201865.tif 000015
【図１４】
0003201865.tif 000016
【図１５】
0003201865.tif 000017
【図１６】
0003201865.tif 000018
【図１７】
0003201865.tif 000019